(57)【要約】【課題】歩行時のあおり動作を助勢し通常歩行が困難な人でも安定した歩行が可能になる靴底、歩行靴を提供する。【解決手段】靴底本体１を踵部１ａから爪先部１ｄに向けて漸次肉薄で、踏付け部１ｃから爪先部１ｄに向けて上方へ漸次反り上がるよう弾性材料で一体成形する。不踏部１ｂと踏付け部１ｃの間、踏付け部１ｃと爪先部１ｄの間に、接地面側の凹溝３ａ，４ａ、靴内面側の凹溝３ｂ，４ｂを設ける。凹溝３ａ，４ａは第五指付け根部位ａ側の端部３ａ−１，４ａ−１が外周縁５を横断して靴底側面６に至り、第一指付け根部位ｅ側の端部３ａ−２，４ａ−２が外周縁５手前にある。凹溝３ｂ，４ｂは第五指付け根部位ａ側の端部３ｂ−１，４ｂ−１と、第一指付け根部位ｅ側の端部３ｂ−２，４ｂ−２が外周縁５手前にある。凹溝３ａ，４ａ、３ｂ，４ｂ間の幅ｈ１，ｈ２が徐々に狭くなる。第五指付け根、第一指付け根の着地時に不踏部１ｂ、踵部１ａが反り上がり、第一指着地時に踏付け部１ｃが反り上がってあおり動作を適正に助勢する。【選択図】  図６
2004254902.tif 000002
【特許請求の範囲】
【請求項１】
踵外側の着地、第五指付け根の着地、第一指付け根の着地、第一指周辺での蹴り出しの各動作が順次行われる歩行時のあおり動作を助勢する靴底であって、
踵部（１ａ）、不踏部（１ｂ）、踏付け部（１ｃ）、爪先部（１ｄ）を有すると共に、踵部から爪先部へ向けて漸次肉薄になり、且つ踏付け部（１ｃ）から爪先部（１ｄ）へ向けて漸次上方へ反り上がるよう、所望の弾性材料で靴底本体（１）を一体成形してなり、
該靴底本体（１）は、少なくとも、不踏部（１ｂ）と踏付け部（１ｃ）の間、踏付け部（１ｃ）と爪先部（１ｄ）の間に、第五指付け根部位（ａ）側から第一指付け根部位（ｂ）側までに至る薄肉部（３，４）を有し、
それら薄肉部（３，４）は、靴底本体（１）の接地面側に設けた凹溝（３ａ，４ａ）と、靴内面側に設けた凹溝（３ｂ，４ｂ）からなり、
前記接地面側の凹溝（３ａ，４ａ）は、第五指付け根部位（ａ）側の端部（３ａ−１，４ａ−１）が靴底外周縁（５）を横断して靴底側面（６）に至り、第一指付け根部位（ｂ）側の端部（３ａ−２，４ａ−２）が靴底外周縁（５）の手前に位置するよう形成され、
前記靴内面側の凹溝（３ｂ，４ｂ）は、第五指付け根部位（ａ）側の端部（３ｂ−１，４ｂ−１）と、第一指付け根部位（ｂ）側の端部（３ｂ−２，４ｂ−２）とが、靴底外周縁（５）の手前に位置するよう形成され、
さらに、接地面側の各凹溝（３ａ，４ａ）間、靴内面側の凹溝（３ｂ，４ｂ）間の夫々の幅（ｈ）が、第五指付け根部位から第一指付け根部位に向けて徐々に狭くなるようにして、
歩行時に、第五指の付け根、第一指の付け根が着地した際の不踏部（１ｂ）、踵部（１ａ）の反り上がりを助長し、さらに第一指が着地した際の踏付け部（１ｃ）の反り上がりを助長するべく、靴底本体（１）の弾性変形を許容して、前記あおり動作を助勢するよう形成したことを特徴とする靴底。
【請求項２】
前記靴底本体（１）の少なくとも踵部、踏付け部、爪先部の接地面側に滑り止め部（２ａ，２ｂ）を設け、これら各滑り止め部（２ａ，２ｂ）は、断面山形状の突起（９ａ，９ｂ）を、靴底の長手方向と幅方向に沿って多数配設すると共に、靴底幅方向において隣り合う突起（９ａ，９ｂ）の傾斜方向が互い違いになるよう、一方の突起（９ａ）を爪先方向に傾斜させ、他方の突起（９ｂ）を踵方向に傾斜させたことを特徴とする請求項１記載の靴底。
【請求項３】
請求項１または２記載の靴底（Ａ１）上に靴本体（Ａ２）を形成してなる歩行靴。
【発明の詳細な説明】
【０００１】
【発明の属する技術分野】
本発明は、歩行時のあおり動作を助勢する靴底とその靴底を備えた歩行靴に関する。
【０００２】
【従来の技術】
踵外側の着地、第五指付け根の着地、第一指付け根の着地、第一指周辺での蹴り出しの各動作が順次に行われる歩行時のあおり動作を助勢する底構造を備えた靴として、例えば特許文献１、特許文献２に開示されたものが知られている。
【０００３】
【特許文献１】
特開２０００−１８９２０５号公報
【特許文献２】
特開２００１−５７９０１号公報
【０００４】
【発明が解決しようとする課題】
これら特許文献に開示された靴によれば、接地面の適所に溝を形成することで靴底の屈曲性を高めて、歩行時のあおり動作に合わせて靴底が屈曲するよう構成されているが、溝が靴の幅方向全域にわたって形成されているため、靴底が前方部、中間部、後方部に三分割されてしまい、必ずしも歩行時のあおり動作に合わせて靴底が適正に変形するとは言えないものであった。
【０００５】
本発明はこのような従来事情に鑑みて成されたもので、その目的とする処は、踵外側の着地、第五指付け根の着地、第一指付け根の着地、第一指周辺での蹴り出し動作が順次に行われる歩行時のあおり動作に対応して適宜に変形することで、あおり動作を適正に助勢して、高齢者、怪我人、病人、障害者などの通常歩行が困難である人であっても、安定した歩行が可能になる靴底と、その靴底を備えた歩行靴を提供することにある。
【０００６】
【課題を解決するための手段】
以上の目的を達成するために本発明は、踵外側の着地、第五指付け根の着地、第一指付け根の着地、第一指周辺での蹴り出しの各動作が順次行われる歩行時のあおり動作を助勢する靴底であって、
踵部（１ａ）、不踏部（１ｂ）、踏付け部（１ｃ）、爪先部（１ｄ）を有すると共に、踵部から爪先部へ向けて漸次肉薄になり、且つ踏付け部（１ｃ）から爪先部（１ｄ）へ向けて漸次上方へ反り上がるよう、所定の弾性を有するゴム若しくは合成樹脂材料で靴底本体（１）を一体成形してなり、
該靴底本体（１）は、少なくとも、不踏部（１ｂ）と踏付け部（１ｃ）の間、踏付け部（１ｃ）と爪先部（１ｄ）の間に、第五指付け根部位（ａ）側から第一指付け根部位（ｂ）側までに至る薄肉部（３，４）を有し、
それら薄肉部（３，４）は、靴底本体（１）の接地面側に設けた凹溝（３ａ，４ａ）と、靴内面側に設けた凹溝（３ｂ，４ｂ）からなり、
前記接地面側の凹溝（３ａ，４ａ）は、第五指付け根部位（ａ）側の端部（３ａ−１，４ａ−１）が靴底外周縁（５）を横断して靴底側面（６）に至り、第一指付け根部位（ｂ）側の端部（３ａ−２，４ａ−２）が靴底外周縁（５）の手前に位置するよう形成され、
前記靴内面側の凹溝（３ｂ，４ｂ）は、第五指付け根部位（ａ）側の端部（３ｂ−１，４ｂ−１）と、第一指付け根部位（ｂ）側の端部（３ｂ−２，４ｂ−２）とが、靴底外周縁（５）の手前に位置するよう形成され、
さらに、接地面側の各凹溝（３ａ，４ａ）間、靴内面側の凹溝（３ｂ，４ｂ）間の夫々の幅（ｈ）が、第五指付け根部位から第一指付け根部位に向けて徐々に狭くなるようにして、
歩行時に、第五指の付け根、第一指の付け根が着地した際の不踏部（１ｂ）、踵部（１ａ）の反り上がりを助長し、さらに第一指が着地した際の踏付け部（１ｃ）の反り上がりを助長するべく、靴底本体（１）の弾性変形を許容して、前記あおり動作を助勢するよう形成したことを特徴とする。
【０００７】
このような構成によれば、歩行時に靴底本体（１）が適時に弾性変形し、第五指の付け根、第一指の付け根が着地した際に不踏部（１ｂ）、踵部（１ａ）が反り上がり、さらに第一指が着地した際に踏付け部（１ｃ）が反り上がる。よって、踵外側の着地、第五指付け根の着地、第一指付け根の着地、第一指周辺での蹴り出しの各動作が順次行われる歩行時のあおり動作が適正に助勢され、高齢者や怪我人、病人、障害者など、通常歩行が困難である人であっても、安定した歩行を行うことができるようになる。
【０００８】
前記靴底において、靴底本体（１）の少なくとも踵部、踏付け部、爪先部の接地面側に滑り止め部（２ａ，２ｂ）を設け、これら各滑り止め部（２ａ，２ｂ）は、断面山形状の突起（９ａ，９ｂ）を、靴底の長手方向と幅方向に沿って多数配設すると共に、靴底幅方向において隣り合う突起（９ａ，９ｂ）の傾斜方向が互い違いになるよう、一方の突起（９ａ）を爪先方向に傾斜させ、他方の突起（９ｂ）を踵方向に傾斜させると良い。
【０００９】
このような構成によれば、各滑り止め部（２ａ，２ｂ）において、靴底幅方向に隣り合う断面山形状の突起（９ａ，９ｂ）の傾斜方向が、爪先方向と踵方向に対し互い違いに現出するようになるので、滑り止め効果が増大すると共に、接地面に対するグリップ力が増加し、前記あおり動作の助勢作用をより確実なものとすることができる。
【００１０】
本願発明は、前記靴底上に靴本体を形成してなる歩行靴を含むものである。該歩行靴は、本質的には前記靴底のみにて底部を構成するが、必要に応じて靴内部に中敷を敷いても良い。
【００１１】
【発明の実施の形態】
以下、実施形態の一例を図１〜図６を参照して説明する。
本例の歩行靴Ａは、靴底Ａ１上に胛被などからなる靴本体Ａ２を貼着したもので、靴底Ａ１は靴底本体１の接地面側に滑り止め部２ａ，２ｂを形成してなる。
【００１２】
靴底本体１は、踵部１ａ、不踏部１ｂ、踏付け部１ｃ、爪先部１ｄを有すると共に、踵部１ａから爪先部１ｄへ向けて漸次肉薄になり、且つ踏付け部１ｃから爪先部１ｄへ向けて漸次上方へ反り上がるよう、所望の弾性を有するゴム又は合成樹脂材料等により一体成形されている。
【００１３】
靴底本体１の踵部１ａ、踏付け部１ｃ、爪先部１ｄには、後述する滑り止め板８ａ，８ｂを貼着される凹部７ａ，７ｂが、靴底の外周縁５を残して凹設されている。
【００１４】
靴底本体１の不踏部１ｂと踏付け部１ｃの間、および、踏付け部１ｃと爪先部１ｄの間には、第五指付け根部位ａから第一指付け根部位ｂまでに至る薄肉部３，４が形成されている。
薄肉部３，４は、靴底本体１の接地面側に設けた凹溝３ａ，４ａと、靴内面側に設けた凹溝３ｂ，４ｂからなっている。
【００１５】
接地面側の凹溝３ａ，４ａは、第五指付け根部位ａ側の端部３ａ−１，４ａ−１が、靴底の外周縁５を横断して靴底の側面６に至り、第一指付け根部位ｂ側の端部３ａ−２，４ａ−２が、靴底の外周縁５の手前に位置するよう形成されている。
【００１６】
靴内面側の凹溝３ｂ，４ｂは、第五指付け根部位ａ側の端部３ｂ−１，４ｂ−１と、第一指付け根部位ｂ側の端部３ｂ−２，４ｂ−２とが、靴底の外周縁５の手前に位置するよう形成されている。
【００１７】
また、夫々の凹溝３ａ，４ａ、３ｂ，４ｂは、接地面側の各凹溝３ａ，４ａの間、および、靴内面側の凹溝３ｂ，４ｂの間の夫々の幅ｈが、第五指付け根部位ａから第一指付け根部位ｂに向けて徐々に狭くなるように形成されている。
【００１８】
滑り止め部２ａ，２ｂは、靴底本体１の踵部１ａ、踏付け部１ｃ、爪先部１ｄの接地面側に設けた凹部７ａ，７ｂに、靴底本体１と同種の材料もしくは硬質材料により一体成形した滑止め板８ａ，８ｂを貼着してなり、各滑止め板８ａ，８ｂの表面には、断面山形状の突起９ａ，９ｂが多数形成されている。
【００１９】
各突起９ａ，９ｂは、靴底の長手方向に沿って一列に並ぶと共に、その突起列が靴底幅方向に対し並列状に多数配列されるよう形成され、且つ、靴底幅方向において隣り合う突起９ａ，９ｂの傾斜方向が互い違いになるよう、一方の突起９ａが爪先方向に傾斜し、他方の突起９ｂが踵方向に傾斜するよう形成されている。
【００２０】
以上の構成になる本例の歩行靴Ａによれば、歩行時において靴底Ａ１の靴底本体１が適時に弾性変形し、詳しくは図７，図８に示すように、歩行時のあおり動作において、踵外側が着地（▲１▼）した後、第五指の付け根が着地し（▲２▼）、次いで第一指の付け根が着地し（▲３▼）、さらに第一指の周辺での蹴り出し（▲４▼）を行う動作が順次に行われるが、その際、第五指の付け根、第一指の付け根が着地した際に靴底本体１の不踏部１ｂ、踵部１ａが反り上がり、さらに第一指が着地した際に踏付け部１ｃが反り上がる。よって、前記あおり動作が靴底本体１の前記した変形により適正に助勢され、高齢者や怪我人、病人、障害者など、通常歩行が困難である人であっても、安定した歩行を行うことができるようになる。
【００２１】
また、各滑り止め部２ａ，２ｂにおいて、爪先方向と踵方向に対し互い違いに傾斜する各突起９ａ，９ｂにより、大きな滑り止め効果が得られると共に、歩行の際の接地面に対するグリップ力が増加し、前記あおり動作の助勢作用をより確実なものとすることができる。
【００２２】
以上、本発明に係る靴底とそれを備えた歩行靴の実施形態の一例を図面を参照しながら説明したが、本発明は図示例に限定されるものではない。例えば、前記した凹部７ａ，７ｂに滑止め板８ａ，８ｂを貼着して滑り止め部２ａ，２ｂとすることに代えて、靴底本体１に凹部７ａ，７ｂを設けずその踵部１ａ、踏付け部１ｃ、爪先部１ｄの接地面側に、前記したように多数の突起９ａ，９ｂを一体成形して滑り止め部２ａ，２ｂを形成したり、また、滑り止め部を靴底本体１の不踏部１ｂにも形成するなど、本願の特許請求範囲の各請求項に記載された技術的思想の範疇において、種々の変更が可能であることは言うまでもない。
【００２３】
【発明の効果】
本発明の請求項１に係る靴底は、踵部（１ａ）から爪先部（１ｄ）に向けて漸次肉薄になると共に、踏付け部（１ｃ）から爪先部（１ｄ）に向けて上方へ漸次反り上がるよう、所定の弾性材料で一体成形した靴底本体（１）の、少なくとも不踏部（１ｂ）と踏付け部（１ｃ）の間と、踏付け部（１ｃ）と爪先部（１ｄ）の間に、接地面側の凹溝（３ａ，４ａ）と靴内面側の凹溝（３ｂ，４ｂ）からなる薄肉部（３，４）を設け、
接地面側の凹溝は、第五指付け根部位（ａ）側の端部（３ａ−１，４ａ−１）が靴底外周縁（５）を横断して靴底側面（６）に至り、第一指付け根部位（ｂ）側の端部（３ａ−２，４ａ−２）が靴底外周縁（５）の手前に位置し、
靴内面側の凹溝（３ｂ，４ｂ）は、第五指付け根部位（ａ）側の端部（３ｂ−１，４ｂ−１）と、第一指付け根部位（ｂ）側の端部（３ｂ−２，４ｂ−２）とが、靴底外周縁（５）の手前に位置し、
さらに、接地面側の各凹溝（３ａ，４ａ）間の幅（ｈ１）、靴内面側の凹溝（３ｂ，４ｂ）間の幅（ｈ２）が、第五指付け根部位から第一指付け根部位に向けて徐々に狭くなるようにしたので、
歩行に際し靴底本体（１）が適時に弾性変形し、第五指の付け根、第一指の付け根が着地した際に不踏部（１ｂ）、踵部（１ａ）が反り上がり、さらに第一指が着地した際に踏付け部（１ｃ）が反り上がって、踵外側の着地、第五指付け根の着地、第一指付け根の着地、第一指周辺での蹴り出しの各動作が順次行われるあおり動作を助勢し、例えば高齢者や怪我人、病人、障害者など、通常歩行が困難な人であっても、安定した歩行を行うことができるようになる。
【００２４】
また本発明の請求項２に係る靴底は、少なくとも踵部、踏付け部、爪先部に滑り止め部（２ａ，２ｂ）を設け、各滑り止め部は、断面山形状の突起（９ａ，９ｂ）を、靴底の長手方向と幅方向に沿って多数配設すると共に、靴底幅方向において隣り合う突起（９ａ，９ｂ）の傾斜方向が互い違いになるよう、一方の突起（９ａ）を爪先方向に傾斜させ、他方の突起（９ｂ）を踵方向に傾斜させたので、大きな滑り止め効果を発揮すると共に、接地面に対するグリップ力の増加により前記あおり動作を効果的に助勢して、前述の効果をより実効あるものとし得る。
【００２５】
また本発明の請求項３に係る歩行靴は、前記請求項１又は２による前述の効果を奏する靴として、例えば高齢者、怪我人、病人、障害者など通常歩行が困難な人に好適に提供することができる。
【図面の簡単な説明】
【図１】本発明の実施形態の一例を示す側面図で、靴本体を仮想線で表す。
【図２】図１の底面図。
【図３】靴底の平面図。
【図４】靴底の側面図で一部断面して表す。
【図５】図１の正面図。
【図６】靴底の底面側の斜視図で、滑り止め部の突起を拡大して表す。
【図７】歩行時のあおり動作と靴底との関係を示す簡略平面図。
【図８】歩行時のあおり動作に伴う靴底の変形状態を示す簡略断面図。
【符号の説明】
Ａ：歩行靴
Ａ１：靴底
Ａ２：靴本体
１：靴底本体
１ａ：踵部
１ｂ：不踏部
１ｃ：踏付け部
１ｄ：爪先部
２ａ，２ｂ：滑り止め部
３，４：薄肉部
３ａ，４ａ：接地面側の凹溝
３ｂ，４ｂ：靴内面側の凹溝
５：靴底外周縁
６：靴底側面
９ａ：爪先方向に傾斜する突起
９ｂ：踵方向に傾斜する突起
【図１】
2004254902.tif 000003
【図２】
2004254902.tif 000004
【図３】
2004254902.tif 000005
【図４】
2004254902.tif 000006
【図５】
2004254902.tif 000007
【図６】
2004254902.tif 000008
【図７】
2004254902.tif 000009
【図８】
2004254902.tif 000010